(57)【要約】【課題】本発明は、充電器が接続されたときにのみ二次電池の温度保護を高精度に行い放電時の自己加熱を防止できる保護回路を提供することを目的とする。【解決手段】二次電池１２の近傍に配設され二次電池と並列接続されたサーミスタＲ１３と抵抗Ｒ１４の直列回路と、充電装置３３と２つの電源端子１３，１４及び１つの外部端子３２を介してオープンドレインで接続される接続検出回路３２，Ｒ１５と、サーミスタＲ１３と抵抗Ｒ１４の接続点の電圧を所定温度Ｖ１に対応する基準電圧と比較するコンパレータ２１と、接続検出回路の出力を、充電装置３３の外部端子３２への出力に基づいてコンパレータの出力信号を有効とするゲート回路３０，３１と、ゲート回路の出力に基づいてスイッチ素子Ｍ１１，Ｍ１２を制御する論理回路１９とを有し、論理回路は、ゲート回路からのコンパレータ２１の出力信号に基づいて二次電池の温度が前記所定温度を超えたときスイッチ素子をオフする。【選択図】図３
2014064459.tif 000002
【特許請求の範囲】
【請求項１】
二次電池の過充電、過放電、過電流を検出して前記二次電池と負荷又は充電装置との間の配線に設けられたスイッチ素子をオフする保護回路であって、
前記二次電池の近傍に配設され前記二次電池と並列接続されるサーミスタと抵抗の直列回路と、
前記充電装置と２つの電源端子及び１つの外部端子を介してオープンドレインで接続される接続検出回路と、
前記サーミスタと抵抗の接続点の電圧を所定温度に対応する基準電圧と比較するコンパレータと、
前記接続検出回路の出力を、前記充電装置の前記外部端子への出力に基づいて前記コンパレータの出力信号を有効とするゲート回路と、
該ゲート回路の出力に基づいて前記スイッチ素子を制御する論理回路とを有し、
前記論理回路は、前記ゲート回路からのコンパレータの出力信号に基づいて前記二次電池の温度が前記所定温度を超えたとき前記スイッチ素子をオフする
ことを特徴とする保護回路。
【請求項２】
請求項１記載の保護回路において、
前記接続検出回路は、前記充電装置が接続される前記外部端子をプルアップもしくはプルダウンする抵抗を有する
ことを特徴とする保護回路。
【請求項３】
請求項１記載の保護回路において、
前記サーミスタは、負の温度係数を持つＮＴＣサーミスタである
ことを特徴とする保護回路。
【請求項４】
二次電池の過充電、過放電、過電流を検出して前記二次電池と負荷又は充電装置との間の配線に設けられたスイッチ素子をオフする保護回路を備えた電池パックであって、
前記充電装置と２つの電源端子及び１つの外部端子を介してオープンドレインで接続され、前記外部端子に前記充電装置が接続されてないとき前記外部端子を第１の電圧に設定し、前記外部端子に前記充電装置が接続されたとき前記外部端子が前記充電装置により前記第１の電圧とは異なる第２の電圧に設定されることにより、前記外部端子の電圧から前記充電装置の接続を検出する接続検出回路と、
サーミスタが前記二次電池の近傍に配設されて前記二次電池と熱結合されており、前記二次電池と並列接続される前記サーミスタと抵抗の直列回路の前記サーミスタと抵抗の接続点の電圧を所定温度に対応する基準電圧と比較するコンパレータと、
前記接続検出回路で前記充電装置の接続を検出したときのみ前記コンパレータの出力信号を有効とするゲート回路と、
前記ゲート回路からのコンパレータの出力信号により前記二次電池の温度が前記所定温度を超えたとき前記スイッチ素子をオフする論理回路とを有する
ことを特徴とする電池パック。
【発明の詳細な説明】
【技術分野】
【０００１】
本発明は、保護回路及び電池パックに関し、二次電池の過充電、過放電、過電流を検出して前記二次電池と負荷又は充電装置との間の配線に設けられたスイッチ素子をオフする保護回路及び電池パックに関する。
【背景技術】
【０００２】
近年、二次電池としてリチウムイオン電池がデジタルカメラなど携帯機器に搭載されている。リチウムイオン電池は過充電及び過放電に弱いため、過充電及び過放電の保護回路を備えた電池パックの形態で使用される。
【０００３】
図４及び図５は、従来の電池パックの各例のブロック図を示す。図４において、リチウムイオン電池２と並列に抵抗Ｒ１とコンデンサＣ１の直列回路が接続されている。リチウムイオン電池２の正極は電池パック１の外部端子３に接続され、負極は電流遮断用のｎチャネルＭＯＳ（金属酸化膜半導体）トランジスタＭ１，Ｍ２を介して電池パック１の外部端子４に接続されている。
【０００４】
ＭＯＳトランジスタＭ１，Ｍ２はドレインを共通接続され、ＭＯＳトランジスタＭ１のソースはリチウムイオン電池２の負極に接続され、ＭＯＳトランジスタＭ２のソースは外部端子４に接続されている。また、ＭＯＳトランジスタＭ１，Ｍ２それぞれは、ドレイン・ソース間に等価的にボディダイオードＤ１，Ｄ２が接続されている。
【０００５】
保護ＩＣ（集積回路）５は、過充電検出回路、過放電検出回路、過電流検出回路を内蔵している。また、保護ＩＣ５はリチウムイオン電池２の正極から抵抗Ｒ１を通して電源Ｖｄｄを供給されると共にリチウムイオン電池２の負極から電源Ｖｓｓを供給されて動作する。
【０００６】
保護ＩＣ５は過放電検出回路或いは過電流検出回路で過放電或いは過電流を検出したときＤＯＵＴ出力をローレベルとしてＭＯＳトランジスタＭ１を遮断し、過充電検出回路で過充電を検出したときＣＯＵＴ出力をローレベルとしてＭＯＳトランジスタＭ２を遮断する。
【０００７】
図５では、更に、電池パック１内にサーミスタＲ３が設けられている。サーミスタＲ３の一端は電池パック１の端子６に接続され、他端は外部端子４に接続されている。電池パック１の端子６には充電時に充電装置から分圧抵抗を介して所定電圧が印加される。電池パック１の温度によってサーミスタＲ３の抵抗値が変化することで端子６の電圧は変化する。充電装置は、端子６の電圧を検出して電池パック１の温度が所定値を超えると充電を停止するよう制御を行う。
【０００８】
なお、特許文献１には、二次電池に温度保護素子（ＰＴＣ素子）と直列に接続されたダイオード及びこれらと逆方向に並列に接続されたダイオードを二次電池に接続して、通常の放電時には高温になっても温度保護素子（ＰＴＣ素子）が動作しないようにすることが記載されている。
【先行技術文献】
【特許文献】
【０００９】
【特許文献１】特開２００４−１５２５８０号公報
【発明の概要】
【発明が解決しようとする課題】
【００１０】
図４に示す従来例は電池パックの温度に対する保護機能がない。また、図５に示す従来例は電池パックの温度に対する保護機能があるものの、充電装置から分圧抵抗を介して所定電圧が印加されるため、充電装置の所定電圧が変化した場合や充電装置の分圧抵抗の誤差がある場合には、電池パックの温度を正確に検出することができないという問題があった。
【００１１】
本発明は、上記の点に鑑みなされたもので、充電器が接続されたときにのみ二次電池の温度保護を高精度に行い放電時の自己加熱を防止できる保護回路及び電池パックを提供することを目的とする。
【課題を解決するための手段】
【００１２】
本発明の一実施態様による保護回路は、二次電池（１２）の過充電、過放電、過電流を検出して前記二次電池（１２）と負荷（３４）又は充電装置（３３）との間の配線に設けられたスイッチ素子（Ｍ１１，Ｍ１２）をオフする保護回路（１５）であって、
前記二次電池（１２）の近傍に配設され前記二次電池と並列接続された前記サーミスタ（Ｒ１３）と抵抗（Ｒ１４）の直列回路と、
前記充電装置（３３）と２つの電源端子（１３，１４）及び１つの外部端子（３２）を介してオープンドレインで接続される接続検出回路（３２，Ｒ１５）と、
前記サーミスタ（Ｒ１３）と抵抗（Ｒ１４）の接続点の電圧を所定温度（Ｖ１）に対応する基準電圧と比較するコンパレータ（２１）と、
前記接続検出回路（３２，Ｒ１５）の出力を、前記充電装置（３３）の前記外部端子（３２）への出力に基づいて前記コンパレータ（２１）の出力信号を有効とするゲート回路（３０，３１）と、
該ゲート回路（３０，３１）の出力に基づいて前記スイッチ素子（Ｍ１１，Ｍ１２）を制御する論理回路（１９）とを有し、
前記論理回路（１９）は、前記ゲート回路（３０，３１）からのコンパレータ（２１）の出力信号に基づいて前記二次電池（１２）の温度が前記所定温度を超えたとき前記スイッチ素子（Ｍ１１，Ｍ１２）をオフすることにより、充電器が接続されたときにのみ二次電池の温度保護を高精度に行い放電時の自己加熱を防止できる。
【００１３】
前記保護回路において、
前記接続検出回路（３２，Ｒ１５）は、充電装置が接続される外部端子（３２）をプルアップもしくはプルダウンする抵抗（Ｒ１５）を有する構成とすることができる。
【００１４】
前記保護回路において、
前記サーミスタ（Ｒ１３）は、負の温度係数を持つＮＴＣサーミスタである構成とすることができる。
【００１５】
本発明の一実施態様による電池パックは、二次電池（１２）の過充電、過放電、過電流を検出して前記二次電池（１２）と負荷（３４）又は充電装置（３３）との間の配線に設けられたスイッチ素子（Ｍ１１，Ｍ１２）をオフする保護回路（１５）を備えた電池パックであって、
前記充電装置（３３）と２つの電源端子（１３，１４）及び１つの外部端子（３２）を介してオープンドレインで接続され、前記外部端子（３２）に前記充電装置（３３）が接続されてないとき前記外部端子（３２）を第１の電圧に設定し、前記外部端子（３２）に前記充電装置（３３）が接続されたとき前記外部端子（３２）が前記充電装置（３３）により前記第１の電圧とは異なる第２の電圧に設定されることにより、前記外部端子（３２）の電圧から前記充電装置（３３）の接続を検出する接続検出回路（３２，Ｒ１５）と、
サーミスタ（Ｒ１３）が前記二次電池（１２）の近傍に配設されて前記二次電池（１２）と熱結合されており、前記二次電池（１２）と並列接続される前記サーミスタ（Ｒ１３）と抵抗（Ｒ１４）の直列回路の前記サーミスタと抵抗の接続点の電圧を所定温度に対応する基準電圧と比較するコンパレータ（２１）と、
前記接続検出回路（３２，Ｒ１５）で前記充電装置（３３）の接続を検出したときのみ前記コンパレータ（２１）の出力信号を有効とするゲート回路（３０，３１）と、
前記ゲート回路（３０，３１）からのコンパレータ（２１）の出力信号により前記二次電池の温度が前記所定温度を超えたとき前記スイッチ素子（Ｍ１１，Ｍ１２）をオフする論理回路（１９）とを有する。
【００１６】
なお、上記括弧内の参照符号は、理解を容易にするために付したものであり、一例にすぎず、図示の態様に限定されるものではない。
【発明の効果】
【００１７】
本発明によれば、充電器が接続されたときにのみ二次電池の温度保護を高精度に行い放電時の自己加熱を防止できる。
【図面の簡単な説明】
【００１８】
【図１】本発明の電池パックの参考例のブロック図である。
【図２】ＮＴＣサーミスタとＰＴＣサーミスタそれぞれの温度・抵抗特性図である。
【図３】本発明の電池パックの一実施形態のブロック図である。
【図４】従来の電池パックの一例のブロック図である。
【図５】従来の電池パックの他の一例のブロック図である。
【発明を実施するための形態】
【００１９】
＜参考例＞
図１は、本発明の電池パックの参考例のブロック図を示す。同図中、リチウムイオン電池１２と並列に抵抗Ｒ１１とコンデンサＣ１１の直列回路が接続されている。リチウムイオン電池１２の正極は配線により電池パック１０の外部端子１３に接続され、負極は配線により電流遮断用のｎチャネルＭＯＳトランジスタＭ１１，Ｍ１２を介して電池パック１０の外部端子１４に接続されている。
【００２０】
ＭＯＳトランジスタＭ１１，Ｍ１２はドレインを共通接続され、ＭＯＳトランジスタＭ１１のソースはリチウムイオン電池１２の負極に接続され、ＭＯＳトランジスタＭ１２のソースは外部端子１４に接続されている。また、ＭＯＳトランジスタＭ１１，Ｍ１２それぞれは、ドレイン・ソース間に等価的にボディダイオードＤ１１，Ｄ１２が接続されている。
【００２１】
また、リチウムイオン電池１２と並列にサーミスタＲ１３と抵抗Ｒ１４の直列回路が接続されている。上記のサーミスタＲ１３は、電池パック１０内でリチウムイオン電池１２の近傍に配設されてリチウムイオン電池１２と熱結合されている。サーミスタＲ１３は負の温度係数を持つＮＴＣ（Ｎｅｇａｔｉｖｅ  Ｔｅｍｐｅｒａｔｕｒｅ  Ｃｏｅｆｆｉｃｉｅｎｔ）サーミスタを用いる。
【００２２】
なお、図２に負の温度係数を持つＮＴＣサーミスタと、正の温度係数を持つＰＴＣ（Ｐｏｓｉｔｉｖｅ  Ｔｅｍｐｅｒａｔｕｒｅ  Ｃｏｅｆｆｉｃｉｅｎｔ）サーミスタそれぞれの温度・抵抗特性を示す。
【００２３】
保護ＩＣ１５は、過充電検出回路１６，過放電検出回路１７，過電流検出回路１８を内蔵している。また、保護ＩＣ１５はリチウムイオン電池１２の正極から抵抗Ｒ１１を通して電源Ｖｄｄを端子１５ａに供給されると共に、リチウムイオン電池１２の負極から電源Ｖｓｓを端子１５ｃに供給されて動作する。
【００２４】
過充電検出回路１６は端子１５ａ，１５ｃの電圧からリチウムイオン電池１２の過充電を検出して検出信号を論理回路１９に供給する。過放電検出回路１７は端子１５ａ，１５ｃの電圧からリチウムイオン電池１２の過放電を検出して検出信号を論理回路１９に供給する。過電流検出回路１８は端子１５ｃ，１５ｆの電圧から抵抗Ｒ１２に流れる電流が過大となる過電流を検出して検出信号を論理回路１９に供給する。
【００２５】
また、保護ＩＣ１５は端子１５ｂにサーミスタＲ１３と抵抗Ｒ１４の接続点Ａを接続され、端子１５ｆに抵抗Ｒ１２の一端を接続され抵抗Ｒ１２の他端は外部端子１４に接続されている。また、保護ＩＣ１５はＤＯＵＴ出力の端子１５ｄをＭＯＳトランジスタＭ１１のゲートに接続され、ＣＯＵＴ出力の端子１５ｅをＭＯＳトランジスタＭ１２のゲートに接続されている。
【００２６】
保護ＩＣ１５において、端子１５ｂはコンパレータ２１の非反転入力端子に接続されている。端子１５ｃはツェナーダイオード等の定電圧源２０の負極に接続され、定電圧源２０の正極はコンパレータ２１の反転入力端子に接続されている。
【００２７】
サーミスタＲ１３は図２に負の温度係数を持つＮＴＣサーミスタであるため、温度が上昇するにしたがって抵抗値が低下して接続点Ａの電圧は上昇する。
【００２８】
コンパレータ２１はヒステリシス特性を有し、定電圧源２０で発生した定電圧Ｖ１と接続点Ａの電圧を比較して、接続点Ａの電圧が高いときハイレベルの信号を出力する。つまり、サーミスタＲ１３の検出温度が定電圧Ｖ１に対応する所定温度（例えば７０°Ｃ程度）を超えるとコンパレータ２１はハイレベルの高温検出信号を出力する。
【００２９】
コンパレータ２１の出力する高温検出信号は不感応時間設定回路２２に供給される。不感応時間設定回路２２は高温検出信号のハイレベル期間が所定値（例えば０．５ｓｅｃ）を超えるとハイレベルの高温検出信号を論理回路１９に供給する。
【００３０】
論理回路１９は、過充電検出回路１６，過放電検出回路１７，過電流検出回路１８それぞれの検出信号を供給されると共に、不感応時間設定回路２２の出力する高温検出信号を供給されている。
【００３１】
論理回路１９は過充電検出回路１６から過充電検出信号を供給されると端子１５ｅのＣＯＵＴ出力をローレベルとしてＭＯＳトランジスタＭ１２を遮断し、過放電検出回路１７から過放電検出信号を供給されると端子１５ｄのＤＯＵＴ出力をローレベルとしてＭＯＳトランジスタＭ１１を遮断し、過電流検出回路１８から過電流検出信号を供給されると端子１５ｄのＤＯＵＴ出力をローレベルとしてＭＯＳトランジスタＭ１１を遮断する。
【００３２】
論理回路１９は高温検出信号がハイレベルとなると、端子１５ｅのＣＯＵＴ出力をローレベルとしてＭＯＳトランジスタＭ１２を遮断する。これにより、リチウムイオン電池１２の温度を正確に検出することができ、リチウムイオン電池１２が高温となった場合に充電を停止して保護することができる。
【００３３】
また、サーミスタＲ１３は図２に示すように温度に対してほぼリニアに抵抗値が変化するＮＴＣサーミスタを用いているため温度を精度良く検出でき、サーミスタＲ１３を電池パック１０内でリチウムイオン電池１２の近傍に配設することによりリチウムイオン電池１２の温度を精度良く検出できる。なお、ＰＴＣサーミスタはある温度を超えると急激に抵抗値が増加するため温度を精度良く検出できない。
【００３４】
ところで、ＣＯＵＴ出力をローレベルとしてＭＯＳトランジスタＭ１２を遮断した際に、外部端子１３，１４間に負荷が接続されていると、ＤＯＵＴ出力がハイレベルでＭＯＳトランジスタＭ１１はオンしているため、ＭＯＳトランジスタＭ１２のボディダイオードＤ１２がオンしてリチウムイオン電池１２からの放電電流が外部端子１３，１４間に接続されている負荷に流れることになる。
【００３５】
この場合、ボディダイオードＤ１２の順方向電圧降下をＶｆとし、放電電流をＩｄとすると、Ｗｄ＝Ｖｆ×Ｉｄで表される電力Ｗｄが熱として放出されてしまう。このため、電池パック１０が更に加熱されるおそれがある。この自己加熱を防止するのが以下に説明する本実施形態である。
【００３６】
＜実施形態＞
図３は、本発明の電池パックの一実施形態のブロック図を示す。同図中、図１と同一部分には同一符号を付す。
【００３７】
図３において、リチウムイオン電池１２と並列に抵抗Ｒ１１とコンデンサＣ１の直列回路が接続されている。リチウムイオン電池１２の正極は電池パック１０の外部端子１３に接続され、負極は電流遮断用のｎチャネルＭＯＳトランジスタＭ１１，Ｍ１２を介して電池パック１０の外部端子１４に接続されている。
【００３８】
ＭＯＳトランジスタＭ１１，Ｍ１２はドレインを共通接続され、ＭＯＳトランジスタＭ１１のソースはリチウムイオン電池１２の負極に接続され、ＭＯＳトランジスタＭ１２のソースは外部端子１４に接続されている。また、ＭＯＳトランジスタＭ１１，Ｍ１２それぞれは、ドレイン・ソース間に等価的にボディダイオードＤ１１，Ｄ１２が接続されている。
【００３９】
また、リチウムイオン電池１２と並列にサーミスタＲ１３と抵抗Ｒ１４の直列回路が接続されている。上記のサーミスタＲ１３は、電池パック１０内でリチウムイオン電池１２の近傍に配設されてリチウムイオン電池１２と熱結合されている。サーミスタＲ１３は負の温度係数を持つＮＴＣ（Ｎｅｇａｔｉｖｅ  Ｔｅｍｐｅｒａｔｕｒｅ  Ｃｏｅｆｆｉｃｉｅｎｔ）サーミスタを用いる。
【００４０】
なお、図２に負の温度係数を持つＮＴＣサーミスタと、正の温度係数を持つＰＴＣ（Ｐｏｓｉｔｉｖｅ  Ｔｅｍｐｅｒａｔｕｒｅ  Ｃｏｅｆｆｉｃｉｅｎｔ）サーミスタそれぞれの温度・抵抗特性を示す。
【００４１】
保護ＩＣ１５は、過充電検出回路１６，過放電検出回路１７，過電流検出回路１８を内蔵している。また、保護ＩＣ１５はリチウムイオン電池１２の正極から抵抗Ｒ１１を通して電源Ｖｄｄを端子１５ａに供給されると共に、リチウムイオン電池１２の負極から電源Ｖｓｓを端子１５ｃに供給されて動作する。
【００４２】
過充電検出回路１６は端子１５ａ，１５ｃの電圧からリチウムイオン電池１２の過充電を検出して検出信号を論理回路１９に供給する。過放電検出回路１７は端子１５ａ，１５ｃの電圧からリチウムイオン電池１２の過放電を検出して検出信号を論理回路１９に供給する。過電流検出回路１８は端子１５ｃ，１５ｆの電圧から抵抗Ｒ１２に流れる電流が過大となる過電流を検出して検出信号を論理回路１９に供給する。
【００４３】
また、保護ＩＣ１５は端子１５ｂにサーミスタＲ１３と抵抗Ｒ１４の接続点Ａを接続され、端子１５ｆに抵抗Ｒ１２の一端を接続され抵抗Ｒ１２の他端は外部端子１４に接続されている。また、保護ＩＣ１５はＤＯＵＴ出力の端子１５ｄをＭＯＳトランジスタＭ１１のゲートに接続され、ＣＯＵＴ出力の端子１５ｅをＭＯＳトランジスタＭ１２のゲートに接続されている。
【００４４】
保護ＩＣ１５において、端子１５ｂはコンパレータ２１の非反転入力端子に接続されている。端子１５ｃはツェナーダイオード等の定電圧源２０の負極に接続され、定電圧源２０の正極はコンパレータ２１の反転入力端子に接続されている。
【００４５】
サーミスタＲ１３は図２に負の温度係数を持つＮＴＣサーミスタであるため、温度が上昇するにしたがって抵抗値が低下して接続点Ａの電圧は上昇する。
【００４６】
コンパレータ２１はヒステリシス特性を有し、定電圧源２０で発生した定電圧Ｖ１と接続点Ａの電圧を比較して、接続点Ａの電圧が高いときハイレベルの信号を出力する。つまり、サーミスタＲ１３の検出温度が定電圧Ｖ１に対応する所定温度（例えば７０°Ｃ程度）を超えるとコンパレータ２１はハイレベルの高温検出信号を出力する。
【００４７】
コンパレータ２１の出力する高温検出信号は不感応時間設定回路２２に供給される。不感応時間設定回路２２は高温検出信号のハイレベル期間が所定値（例えば０．５ｓｅｃ）を超えるとハイレベルの高温検出信号をアンド回路（アンドゲート）３０の一方の入力端子に供給する。
【００４８】
一方、保護ＩＣ１５の端子１５ｇはインバータ３１を介してアンド回路３０の他方の入力端子に接続されている。また、端子１５ｇは電池パック１０の外部端子３２に接続されると共に、抵抗Ｒ１５を介してリチウムイオン電池１２の正極に接続されている。
【００４９】
充電時には、電池パック１０の外部端子１３，１４，３２それぞれに充電装置３３が接続され、外部端子１３，１４からリチウムイオン電池１２が充電されると共に、外部端子３２は充電装置３３内のＭＯＳトランジスタＭ１３によって接地レベルにプルダウンされる。充電装置３３が接続されていないとき外部端子３２は抵抗Ｒ１５によって電源電圧Ｖｄｄにプルアップされている。
【００５０】
このため、充電装置３３が接続されているときアンド回路３０の他方の入力端子はハイレベルとなり、不感応時間設定回路２２の出力する高温検出信号がアンド回路３０を通して論理回路１９に供給される。充電装置３３が接続されていないときアンド回路３０の他方の入力端子はローレベルとなり、高温検出信号はアンド回路３０で阻止され論理回路１９に供給されない。
【００５１】
論理回路１９は、過充電検出回路１６，過放電検出回路１７，過電流検出回路１８それぞれの検出信号を供給されると共に、不感応時間設定回路２２の出力する高温検出信号を供給されている。
【００５２】
論理回路１９は過充電検出回路１６から過充電検出信号を供給されると端子１５ｅのＣＯＵＴ出力をローレベルとしてＭＯＳトランジスタＭ１２を遮断し、過放電検出回路１７から過放電検出信号を供給されると端子１５ｄのＤＯＵＴ出力をローレベルとしてＭＯＳトランジスタＭ１１を遮断し、過電流検出回路１８から過電流検出信号を供給されると端子１５ｄのＤＯＵＴ出力をローレベルとしてＭＯＳトランジスタＭ１１を遮断する。
【００５３】
電池パック１０の外部端子１３，１４，３２それぞれに充電装置３３が接続された充電時に、高温検出信号がハイレベルとなると、論理回路１９は端子１５ｅのＣＯＵＴ出力をローレベルとしてＭＯＳトランジスタＭ１２を遮断する。これにより、リチウムイオン電池１２の温度を正確に検出することができ、リチウムイオン電池１２が高温となった場合に充電を停止して保護することができる。なお、この状況で負荷３４が共に外部端子１３，１４に接続されていても良い。
【００５４】
一方、電池パック１０の外部端子１３，１４それぞれに充電装置３３が接続されずに負荷３４が接続されているとき、高温検出信号は論理回路１９供給されないため、論理回路１９に供給される高温検出信号はローレベルとなり、論理回路１９は端子１５ｅのＣＯＵＴ出力をハイレベルとしてＭＯＳトランジスタＭ１２をオンしている。これにより、ボディダイオードＤ１２がオンすることはなく、電池パック１０が更に加熱される自己加熱を防止できる。
【００５５】
ここで、電池パック１０の外部端子１３，１４，３２それぞれに充電装置３３と負荷３４が共に接続されている場合には、負荷３４は充電装置３３から給電されるため、ＭＯＳトランジスタＭ１２がオフであってもボディダイオードＤ１２がオンすることはない。
【００５６】
なお、抵抗Ｒ１５を端子１４，３２間に接続して端子３２をプルダウンし、充電装置３３が接続されると外部端子３２を充電装置３３内のＭＯＳトランジスタＭ１３によって電源電圧にプルアップするような構成としても良い。この場合には、インバータ３１が不要となる。
【符号の説明】
【００５７】
１０  電池パック
１２  リチウムイオン電池
１３，１４，３２  外部端子
１５  保護ＩＣ
１６  過充電検出回路
１７  過放電検出回路
１８  過電流検出回路
１９  論理回路
２０  定電圧源
２１  コンパレータ
２２  不感応時間設定回路
３０  アンド回路
３１  インバータ
３３  充電装置
３４  負荷
Ｃ１  コンデンサ
Ｍ１１，Ｍ１２  ＭＯＳトランジスタ
Ｒ１１，Ｒ１２，Ｒ１４  抵抗
Ｒ１３  サーミスタ
【図１】
2014064459.tif 000003
【図２】
2014064459.tif 000004
【図３】
2014064459.tif 000005
【図４】
2014064459.tif 000006
【図５】
2014064459.tif 000007